(57)【要約】【課題】画像の特徴の切り替わりに応じて中間調処理を切り替える画像形成装置において、中間調処理の切り替わり領域におけるスジや疑似輪郭の発生を抑えること。【解決手段】画像形成装置は、入力された画像の特徴をドットごと、領域ごとに検知し、特定の期間、複数の中間調処理を並行に動作させ、入力画像および／または出力画像の情報を元に、中間調処理方式の切り替えタイミングをずらす。【選択図】図３
2012100155.tif 000002
【特許請求の範囲】
【請求項１】
入力された画像の特徴を、ドットごと、もしくは領域ごとに検知する、画像特徴検知手段と、
前記入力された画像を、複数の中間調処理方式で、並行して処理可能な中間調処理手段と、
前記画像特徴検知手段による特徴量の検知結果を用いて、前記中間調処理方式を決定する、処理方式選択手段とを備え、
前記処理方式選択手段は、特定の期間、複数の前記中間調処理を並行に動作させ、入力画像および／または出力画像の情報を元に、前記中間調処理方式の切り替えタイミングをずらすことを特徴とする画像形成装置。
【請求項２】
前記複数の中間調処理方式のうち、いずれの処理においても同時にドットが発生したときに、前記中間調処理方式を切り替えることを特徴とする請求項１記載の画像形成装置。
【請求項３】
前記複数の中間調処理方式のうち、いずれの処理においても同時に、もしくは隣り合うドットが発生したときに、前記中間調処理方式を切り替えることを特徴とする請求項１記載の画像形成装置。
【請求項４】
画像特徴の切り替わり時点から、一定量処理しても処理が切り替わらない場合には、生成されたドットの有無に関わらず処理を切り替えることを特徴とする請求項２または３記載の画像形成装置。
【請求項５】
前記複数の中間調処理方式を切り替える条件として、
前記画像特徴検知手段の情報が切り替わったタイミングで切り替える、
前記画像特徴検知手段の情報が切り替わって、一定量のドットを処理した後に切り替える、
前記複数の中間調処理方式のうち、いずれの処理においても同時に、もしくはとなりあうドットが発生したときに切り替える、
前記複数の中間調処理方式のうち、いずれの処理においても同時にドットが発生したときに切り替える、
ことのうち少なくとも２種類を備え、入力画像の濃度に応じて条件を切り替えることを特徴とする請求項１記載の画像形成装置。
【請求項６】
前記複数の中間調処理方式は、ディザ処理と誤差拡散処理とであることを特徴とする請求項１記載の画像形成装置。
【請求項７】
ディザ処理から誤差拡散処理に切り替わる場合にのみ、請求項２から５のいずれか１項に記載の処理内容を適用し、
前記誤差拡散処理から前記ディザ処理に切り替わる場合は、前記画像特徴検知手段の情報が切り替わったタイミングで処理を切り替えることを特徴とする請求項２から５のいずれか１項に記載の画像形成装置。
【発明の詳細な説明】
【技術分野】
【０００１】
本発明は、画像形成装置の中間調処理の技術に関するものである。
【背景技術】
【０００２】
コピー機などで実施している画像処理においては、スキャナで読み取った多値ＲＧＢ画像を色変換処理により多値ＫＣＭＹなどの画像に変換し、さらに中間調処理を通して２〜８値程度のＫＣＭＹ画像としてドットパターンに変換する。これらの処理において、原稿の種類が写真や網点、テキストや線画などの違いに応じて、処理の方法を変化させることにより、よりよい出力を得るための技術が既に知られている。
【０００３】
例えば、中間調処理においては、原稿が写真や網点であれば、モアレの発生を防ぐために、誤差拡散処理を施すのが好ましく、テキストや線画であれば、斜め線や細線でも確実に印字できるようなディザパターンを選択したディザ処理を施すことが好ましい。
【０００４】
これらの原稿の種類を検知して、その切り替わりに応じて中間調処理方法を切り替える技術も既に知られている。
【０００５】
特許文献１には、画像の特徴(文字／網点／写真など)の切り替わり部分において違和感のない画像を得る目的で、画像特徴に応じてディザ閾値を切り替える方法開示されている。
【０００６】
特許文献２では、階調性及び低濃度再現性を低コストの装置で実現し、コピーの出力画像、ＦＡＸの送信画像を最適処理し、プリンタとしてのパフォーマンスを最適化する並行動作を実現すべく、ビデオ制御では、各セレクタによってビデオパスを切り替え、多値処理と２値処理の並行動作に関しては、画質処理の中のディザ用ＲＡＭ、誤差拡散処理用ＦＩＦＯメモリは回路構成を簡略化するため、１系統しか持っていなく、そのため物理的には２値誤差拡散と多値誤差拡散の同時処理は実施できないが、時分割処理によって見かけ上の並行動作を実現するが、機械を操作するオペレーターには処理時間の長さを実感させないように、複数ジョブの原稿は最初にすべて読み取り、スキャナ用バッファメモリＭＳに格納した後、画質処理を２値用、多値用に特化して最適画像を再現し、回路資源の時分割共有を行う技術が開示されている。
【発明の概要】
【発明が解決しようとする課題】
【０００７】
しかし、今までの手法では、中間調処理の切り替わり領域において、ディザ処理と誤差拡散処理とのドットパターンの形成させ方の違いにより、境界領域で白スジや疑似輪郭の発生しやすいという問題があった。
【０００８】
誤差拡散処理では、一般にドットの発生が遅れる傾向にあるため、この問題は、特にディザ処理から誤差拡散処理に切り替わる場面で発生しやすい。
【０００９】
特許文献１や特許文献２では画像の特徴が切り替わった際のスジや疑似輪郭が発生するという問題は解消できていない。
【００１０】
本発明は、画像の特徴(文字／網点／写真など)の切り替わりに応じて中間調処理を切り替える画像形成装置において、中間調処理の切り替わり領域におけるスジや疑似輪郭の発生を抑えることを目的とする。
【課題を解決するための手段】
【００１１】
請求項１に記載の発明は、入力された画像の特徴を、ドットごと、もしくは領域ごとに検知する、画像特徴検知手段と、入力された画像を、複数の中間調処理方式で、並行して処理可能な中間調処理手段と、画像特徴検知手段による特徴量の検知結果を用いて、中間調処理方式を決定する、処理方式選択手段とを備え、処理方式選択手段は、特定の期間、複数の中間調処理を並行に動作させ、入力画像および／または出力画像の情報を元に、中間調処理方式の切り替えタイミングをずらすことを特徴とする画像形成装置である。
【００１２】
請求項２に記載の発明は、請求項１記載の画像形成装置において、複数の中間調処理方式のうち、いずれの処理においても同時にドットが発生したときに、中間調処理方式を切り替えることを特徴とする。
【００１３】
請求項３に記載の発明は、請求項１記載の画像形成装置において、複数の中間調処理方式のうち、いずれの処理においても同時にドットが発生したときに、中間調処理方式を切り替えることを特徴とする。
【００１４】
請求項４に記載の発明は、請求項２または３記載の画像形成装置において、画像特徴の切り替わり時点から、一定量処理しても処理が切り替わらない場合には、生成されたドットの有無に関わらず処理を切り替えることを特徴とする。
【００１５】
請求項５に記載の発明は、請求項１記載の画像形成装置において、複数の中間調処理方式を切り替える条件として、画像特徴検知手段の情報が切り替わったタイミングで切り替える、画像特徴検知手段の情報が切り替わって、一定量のドットを処理した後に切り替える、複数の中間調処理方式のうち、いずれの処理においても同時に、もしくはとなりあうドットが発生したときに切り替える、複数の中間調処理方式のうち、いずれの処理においても同時にドットが発生したときに切り替える、ことのうち少なくとも２種類を備え、入力画像の濃度に応じて条件を切り替えることを特徴とする。
【００１６】
請求項６に記載の発明は、請求項１記載の画像形成装置において、複数の中間調処理方式は、ディザ処理と誤差拡散処理とであることを特徴とする。
【００１７】
請求項７に記載の発明は、請求項２から５のいずれか１項に記載の画像形成装置において、ディザ処理から誤差拡散処理に切り替わる場合にのみ、請求項２から５のいずれか１項に記載の処理内容を適用し、
誤差拡散処理からディザ処理に切り替わる場合は、画像特徴検知手段の情報が切り替わったタイミングで処理を切り替えることを特徴とする。
【発明の効果】
【００１８】
本発明によれば、画像の特徴(文字／網点／写真など)の切り替わりに応じて中間調処理を切り替える画像形成装置において、中間調処理の切り替わり領域におけるスジや疑似輪郭の発生を抑えることができる。
【図面の簡単な説明】
【００１９】
【図１】本発明の実施の形態の画像形成装置全体の構成を示した概略図である。
【図２】コントローラボード内部の機能ブロック図である。
【図３】中間調処理部の内部ブロック図である。
【図４】一般的なディザ処理について記載した図である。
【図５】一般的な誤差拡散処理について記載した図である。
【図６】一般的な誤差拡散処理を適用して処理を実施した例である。
【図７】濃度ごとの２値化後画像のイメージ図である。
【図８】中間調処理をディザ処理から誤差拡散処理に切り替えた場合の図である。
【図９】中間調処理を誤差拡散処理からディザ処理に切り替えた場合の図である。
【図１０】図９の弊害を回避するための制御を示したフローチャートである。
【図１１】図１０のフローチャートを図で示したものである。
【図１２】図１０のフローチャートを適用した例を示した図である。
【図１３】図１２の説明で示した問題を解決するためのフローチャートである。
【図１４】図１３のフローチャートを適用した例を示した図である。
【発明を実施するための形態】
【００２０】
以下、本発明の実施の形態について図を用いて詳細に説明する。
図１は、本発明の実施の形態の画像形成装置全体の構成を示した概略図である。
【００２１】
スキャナユニットは、原稿を読み込んで、電気信号に変換し、コントローラボードへ送信する。ここでは、自動原稿送り装置（ＡＤＦ）を備え、複数枚の原稿を自動で読み取る機能がある場合を例とする。また、ここではＣＣＤ方式かＣＩＳ方式かは問わず、どちらにも対応可能とする。
【００２２】
プロッタユニットは、スキャナで読み取った画像やホスト等から入力した画像データをＣＭＹＫ（＋α）データに変換したものを用紙に印刷するユニットである。ここではインクジェット方式か電子写真方式かは問わず、どちらにも対応可能とする。
【００２３】
操作部は、コピーやスキャナ、ＦＡＸ送信などのジョブを実行したり、スキャナで読み込んだ画像を表示したりする。また、各種設定やエラー表示にも用いる。
【００２４】
コントローラボードは、コピー処理・プリント処理などの制御を行うユニットである。コピーではスキャナユニットより入力されたＲＧＢ多値画像をプロッタユニットで印刷可能なフォーマットに変換する。その際に、ページ順序を入れ替えたり、画像を蓄積したり、画像編集をしたりなど付加的な機能を実現する。
【００２５】
図２は、コントローラボード内部の機能ブロック図である。ここでは、コピー画像フローおよびＰＣからのプリント時の画像フローに関わるブロックの説明を行う。
【００２６】
スキャナ画像入力部は、スキャナユニットより入力されたＲＧＢ多値データを取り込む。アナログデータで受信した場合は、デジタルに変換する。素子間のばらつき補正や、素子の物理的な位置の違いに対する補正を実施する。
【００２７】
スキャナ画像処理部は、スキャナ特性を打ち消すような処理を施し、標準ＲＧＢのデータ形式に変換する。
【００２８】
像域分離部（画像特徴検出部）は、現在処理している領域が、文字／写真であるか、およびエッジ／非エッジであるかいった画像特徴を検知する。ドットごと、もしくは、一定の領域ごとに画像特徴情報を保持する。検知された画像の特徴量は、後段の色変換において領域ごとにパラメータを選択するのに使用したり、領域毎に中間調処理の処理方法を切り替えたりするための判定条件として用いられる。また、スキャナ画像処理の一部にも像域分離結果を用いる場合がある。
【００２９】
色変換部は、スキャナ画像処理部から入力されるＲＧＢ多値データをＣＭＹＫ多値データに変換する。ここで、像域分離で得られた画像の特徴量を用いてパラメータを切り替えることにより、例えば「文字領域や線画領域は濃く印字し、グラフィック領域は薄めに印字する」などの調整を行うことが可能である。
【００３０】
中間調処理部は、色変換から入力されるＣＭＹＫ多値データをプロッタユニットから出力可能な２〜８値程度の少値データに変換する。ここでも像域分離で得られた画像の特徴量を用いて処理を切り替えるが、その詳細は後述する。
【００３１】
プリンタ画像出力部は、プロッタユニットの仕様にあわせた順序・タイミングで画像データをプロッタユニットに送信するブロックである。
【００３２】
ホストＩ／Ｆは、ＰＣなどから印刷ジョブのデータを受信し、メモリへ格納する。
【００３３】
プリント画像処理部は、印刷言語（ＰＤＬ）をＲＧＢ多値データに変換する。ＰＤＬを展開する際に、各領域ごとに文字が支配的か、グラフィックが支配的かを保持することができれば、コピーと同様のフローで本発明を適用することが可能である。本実施例では、プリンタジョブに対しても本発明を適用しているが、プリンタジョブには適用しない選択もある。
【００３４】
ＣＰＵは、ジョブを管理し、全機能ブロックの動作を制御する。
【００３５】
図３は、本発明における中間調処理部の内部ブロック図である。
中間調処理部では、前段の色変換部より入力されたＫＣＭＹ多値データをＫＣＭＹ少値
本実施例では、中間調処理部内にディザ処理部・誤差拡散処理部・処理方法選択部を備える。
【００３６】
ディザ処理部・誤差拡散処理部は、それぞれの処理方法（図４〜図７で記述）に従い、入力された画像データに対して少値化処理（量子化処理）を施す。
【００３７】
処理方法選択部より与えられる動作イネーブルにより、それぞれの動作は動作／停止を制御できる。ただし、動作イネーブルがなく、常に両方のブロックが動作していても問題ない。
処理方法選択部では、前段より与えられる画像特徴データを用いて、選択すべき中間調処理方法を決定する。例えば、画像特徴データが文字領域を示している場合は、中間調処理方法としてディザ処理を選択するなどの選択を行う。
ここで、画像特徴が変化（例えば、文字→写真）したことにより、選択すべき処理方法が変化（例えば、ディザ→誤差拡散）する場合を想定する。
このとき、処理方法選択部は、画像特徴の変化タイミングで即座に中間調処理方法を変化させず、両方の処理を並行して動作させる区間を設けることが可能である。（すなわち、一定期間では、各動作イネーブルが両方ＯＮとなる）
特定の条件（図８以降で記載）を満たしたときに、処理を完全に切り替え、一方の処理用  の動作イネーブルをＯＦＦとする。
【００３８】
以下、図４〜図７において、一般的なディザ処理・誤差拡散処理について説明する。
【００３９】
図４は、一般的なディザ処理について記載した図である。
多値データ（図４では１７値）を少値データ（図４では２値）に変換する手順を説明する。
【００４０】
図４では、元画像が濃度＝６の一様な画像である場合において、図４に示すような分散型ディザパターンを用いて２値化しているものである。
【００４１】
元画像は、ディザパターンの対応するドットと比較され、以下の判定によりドット生成有無を決定する。
（元画像の値）  ＞  （ディザパターンの値）  …  ドット生成
（元画像の値）  ≦  （ディザパターンの値）  …  ドット生成なし
【００４２】
ディザパターンは、周期的に繰り返されるため、元画像の全てのドットに対して、ディザパターンが対応する。
このようにして、濃度情報を密度の情報に置き換えることで、２値データで階調を表現している。
【００４３】
本ディザ処理を実施した場合の、濃度ごとの２値化後画像のイメージを図７に示す。
ディザマスクには、図４で示すような分散型ディザパターンのほか、集中型ディザパターンやランダムディザパターンのなどもあり、また、正方形以外の形で形成されるものなどもあるが、ここではいずれの説明も省略する。
さらに、出力が２値よりも多い場合においては、（出力階調数−１）種類のディザパターンを用意することで対応が可能となる。
【００４４】
図５は、一般的な誤差拡散処理について記載した図であり、図６はそれを適用して処理を実施した例である。
誤差拡散法では、注目点の周辺ドットの量子化で生じた誤差を、注目点の濃度に加算してから量子化を行う。
【００４５】
本実施例では、図５に記載の重み付けテーブルを用いて、図５に記載の式により、周辺画素で生じた誤差を注目点の濃度に加算し、注目点の濃度が１０以上となった場合はドットを生成する。
【００４６】
ドットを生成しない場合、蓄積誤差加算後データがそのまま誤差として、以降の画素の処理に引き継がれる。
【００４７】
ドットを生成した場合は、蓄積誤差加算後データから、１７（＝濃度の最大値）を減じた値が誤差として以降の画素の処理に引き継がれる。
【００４８】
これにより、量子化における誤差をのちに処理する画素に引き継ぐため、画像全体としては、元画像と出力画像の濃度差が小さくなる。
【００４９】
誤差拡散処理の場合でも、出力が２値よりも多い場合においては、蓄積誤差加算後データに対して比較する閾値とを複数設けることで対応が可能となる。また、その場合、複数の出力階調のそれぞれに対する元画像の濃度データも複数必要となる。
【００５０】
図６は、元画像が濃度＝６の一様な画像である場合において、本実施例の方法で２値化しているものである。
【００５１】
また、本誤差拡散処理を実施した場合の、濃度ごとの２値化後画像のイメージを図７に示す。
図７は、ディザ処理と誤差拡散処理のドット生成状況を濃度別に示した図である。
【００５２】
図７に示すように、誤差拡散においては、ディザに比べてドットの生成が遅れて生じる。
これは濃度が低い場合により顕著に現れる。
【００５３】
また、ディザ処理と誤差拡散処理の差異としては以下のような内容が挙げられる。
一般にディザ処理はドットの生成がコントロールしやすく、誤差拡散に比べ以下のようなメリットがあるため、文字や線画の原稿に有利であると言える。
・文字などのエッジのある画像を、くっきりと印字できる
・線（特に細線）を印字する場合、線が途切れることが少ない
【００５４】
一方で、誤差拡散処理は、ディザ処理に比べて以下のようなメリットがあり、写真やグラフィックの原稿に対しては、誤差拡散の方が有利と言える。
・周期性のないパターンであるため、モアレが発生しにくい
・印刷物にパターンが見えないため、粒状性がよい
【００５５】
図８は、中間調処理をディザ処理から誤差拡散処理に切り替えた場合の図であり、図９は、中間調処理を誤差拡散処理からディザ処理に切り替えた場合の図である。
【００５６】
図８の左が濃度＝６で一定の元画像、右が濃度＝９で一定の元画像に対して、主走査方向のあるタイミングにおいてディザ処理から誤差拡散処理に切り替えた場合を示している。
【００５７】
図７に記載のとおり、誤差拡散処理はドットの生成が遅れるので、処理が切り替わるタイミングで白スジが発生している。
【００５８】
また、図９は図８と逆のパターンを示している。図８ほど目立った画質の劣化は発生していないものの、境界部でわずかにドットの濃度が高くなっている。
切り替えのタイミングによるが、このようにいずれの場合においても、境界部での画質の劣化は起こりうる。
【００５９】
濃度が一定の条件で中間調処理を切り替えるような条件となることは少ないことから、図８・図９のような例は極端な例ではあるが、通常の画像でもこれに近い現象が発生するといえる。
【００６０】
図１０は、図９の弊害を回避するための制御を示したフローチャートである。
【００６１】
図１０を参照すると、画像特徴判定し（Ｓ１００１）、文字の場合、誤差拡散イネーブルＯＦＦ、ディザ処理イネーブルＯＮ、ディザ処理結果を出力する（Ｓ１００２）。
【００６２】
１画素分のデータ処理し（Ｓ１００３）、全画素の処理が完了すると（Ｓ１００４）、画像特徴判定し（Ｓ１００５）、写真の場合、ディザ処理イネーブルＯＮ（Ｓ１００６）、１画素分のデータ処理し（Ｓ１００７）、全画素の処理が完了すると（Ｓ１００８）、両方の処理でドットが発生した場合（Ｓ１００９）、誤差拡散イネーブルＯＦＦ、誤差拡散処理結果を選択する（Ｓ１０１０）。
【００６３】
一方、画像特徴判定し（Ｓ１００１）、写真の場合、誤差拡散イネーブルＯＮ、ディザ処理イネーブルＯＦＦ、誤差拡散処理結果を選択する（Ｓ１０１１）。
【００６４】
１画素分のデータ処理し（Ｓ１０１２）、全画素の処理が完了すると（Ｓ１０１３）、画像特徴判定し（Ｓ１０１４）、文字の場合、ディザ処理イネーブルＯＮ（Ｓ１０１５）、１画素分のデータ処理し（Ｓ１０１６）、全画素の処理が完了すると（Ｓ１０１７）、両方の処理でドットが発生した場合（Ｓ１０１８）、誤差拡散イネーブルＯＦＦ、ディザ処理結果を選択する（Ｓ１０１９）。
【００６５】
本制御方法で制御することにより、文字領域から写真領域、もしくは写真領域から文字領域へ遷移した場合に、即座に中間調処理を切り替えるのではなく、並行で処理を進め、両方の処理方法でドットが形成される条件を満たしたときに、処理を完全に切り替えることができる。
【００６６】
図１１は、図１０のフローチャートを図で示したものである。
１．画像情報が文字領域から写真に変化すると、ディザ処理と誤差拡散処理の並行動作が開始する。
２．並行動作の期間中は、変更前の処理（ディザ処理）の結果を処理結果として選択する。
３．ディザ処理と誤差拡散処理の両方でドットが発生した場合、ディザ処理を終了し、誤差拡散処理結果が選択される。
【００６７】
これを２次元画像に展開したものが図１２である。図１２は、図１０のフローチャートを適用した例を示した図である。
文字領域から写真領域に切り替わっても、図８で示したような縦スジが発生していないことがわかる。また、ディザ処理と誤差拡散処理の境界がバラけるため、疑似輪郭などの弊害も抑えられるという効果も期待できる。
【００６８】
ただし、本実施例の場合、特に濃度が低い場合において、誤差拡散とディザの両方でドットを生成する可能性が低く、並行処理する量が多くなってしまう。
このため、本来はディザで処理したい写真領域も多くの領域でディザ処理になってしまったり、全体の処理性能が低下したりするという問題がある。
【００６９】
上記問題に対する対策としては次のようなものが挙げられる。
（１）画像特徴の切り替わりから、一定ドットだけ処理しても、中間調処理方式が完全に切り替わらない場合は強制的に切り替える。その効果は、処理が切り替わるまでの並行処理期間の上限を定められるため、性能の低下レベルをコントロールできる。
（２）ドットの生成タイミングが完全に一致しなくても、例えば、ディザ処理でドットを生成し、そのとなりのドットにおいて誤差拡散処理結果がドットを生成した場合は処理を切り替える。その効果は、図１０の条件（完全に一致するときに処理を入れ替える条件）に比べると処理切り替わりの確率は向上し、また、（１）に比べると切り替わり時のスジが防げる。
（３）文字領域→写真領域に切り替わった場合には、誤差拡散処理でドットが生成された時点で、ディザ処理の結果に関わらず処理方法を切り替える。その効果は後述する。
【００７０】
上記の（３）の方式を、図１３、図１４に示す。
図１３は、図１２の説明で示した問題を解決するためのフローチャートである。
図１０との違いは、処理を完全に切り替える際の判定条件が、「両方の処理でドット発生？」→「ディザ処理（or誤差拡散処理）でドット発生？」となっている点である。
これにより、処理の切り替わりのタイミングが早くなるような制御が可能である。
【００７１】
このほかに、写真→文字に切り替わるタイミングでは、即座に切り替えたり、両方の処理でドットが発生したときに切り替えたりしても構わない。
【００７２】
図１４は、図１３のフローチャートを適用した例を示した図である。
この場合は、比較的早いタイミングでディザ処理から誤差拡散処理に切り替わっており、また、図８で示したような縦スジが発生していない。
【００７３】
ただし、この場合は、切り替わり領域が濃い目に出やすい。特に、濃度が濃い場合に顕著に表れるため、領域の切り替わり部分の濃度が低い場合には本実施例を適用し、切り替わり部分の濃度が高い場合には、図１０・図１２の実施例を適用することも考えられる。
【００７４】
以下、各請求項ごとの作用・効果を記載する。
請求項２：ドット発生の周期が保たれ、領域の境界付近における濃度の変化が小さい。また、境界が散らされることによる疑似輪郭の低減にも効果を発揮する。
【００７５】
請求項３：請求項１に比べて、処理が切り替わる確率が上昇し、並行処理による負荷が低減される。
【００７６】
請求項４：処理が切り替わるまでの並行処理期間の上限を定められるため、性能の低下レベルをコントロールできる
【００７７】
請求項５：濃度が低い場合は４番目、濃度が高くなるにつれて１番目へと条件を変えることにより、濃度が低い場合に白スジが発生することを抑える。
【００７８】
請求項６：ディザ処理をテキスト用、誤差拡散を写真用などとすることにより、原稿の種類ごとに読みやすさや美しさを向上できる。
【００７９】
請求項７：並行処理させる条件を、ディザ→誤差拡散（本発明を適用しない場合の画質劣化が大きい）に限定することで、性能と画質のバランスが良くなる。
【００８０】
なお、上述する実施の形態は、本発明の好適な実施の形態であり、本発明の要旨を逸脱しない範囲内において種々変更実施が可能である。例えば、画像形成装置の機能を実現するためのプログラムを画像形成装置に読込ませて実行することにより画像形成装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
本発明は、画像形成装置の制御方法にも適用できる。
【先行技術文献】
【特許文献】
【００８１】
【特許文献１】特開２００２−２２３３５６号公報
【特許文献２】特開２０００−１９６８７５号公報
【図１】
2012100155.tif 000003
【図２】
2012100155.tif 000004
【図３】
2012100155.tif 000005
【図４】
2012100155.tif 000006
【図５】
2012100155.tif 000007
【図６】
2012100155.tif 000008
【図７】
2012100155.tif 000009
【図８】
2012100155.tif 000010
【図９】
2012100155.tif 000011
【図１０】
2012100155.tif 000012
【図１１】
2012100155.tif 000013
【図１２】
2012100155.tif 000014
【図１３】
2012100155.tif 000015
【図１４】
2012100155.tif 000016